(57)【要約】【課題】空気浄化フィルタ３１を装着する吸気ケース３２の端壁部３２１に取付けたファンケーシング３５内に上方の吹出し口から水が侵入したときに、そのまま放置しても、ファンケーシングから水を排出できるようにする。【解決手段】吸気ケース３２の端壁部３２１に、ファンケーシング３５内の最下部に連通するドレン通路３２８を設ける。ファンケーシング３５内の水をドレン通路３２８を介して吸気ケース３２内に排出し、排出された水を空気浄化フィルタ３１に吸水させる。【選択図】図５
2006002950.tif 000002
【特許請求の範囲】
【請求項１】
外装ケース内に、外装ケースの起立板部に開設した吸込み口に対向する端壁部と、端壁部と吸込み口との間の空間を囲う周壁部とを有する吸気ケースを設けて、吸気ケースの周壁部内に空気浄化フィルタを装着すると共に、吸込み口に対向する吸気ケースの端壁部の吸込み口とは反対側の面に、ファンを収納したファンケーシングを、ファンケーシングの送気口が外装ケースの天板部に開設した吹出し口に臨むように取付け、吸気ケースの端壁部に、ファンケーシングに臨む吸気口を形成して、ファンの作動により空気が空気浄化フィルタと吸気口とファンケーシングと送気口とを介して吹出し口に送風されるようにした空気浄化装置において、
吸気ケースの端壁部に、ファンケーシング内の最下部に連通し、ファンケーシング内の水を吸気ケース内に排出するドレン通路が設けられていることを特徴とする空気浄化装置。
【請求項２】
前記吸気ケースの周壁部は、前記空気浄化フィルタの挿入深さを規制する段部と、段部と前記吸込み口との間に位置するフィルタ装着部と、段部と吸気ケースの前記端壁部との間に位置するスペーサ部とを有する形状に形成され、スペーサ部の下側の内壁面とフィルタ装着部の下側の内壁面との少なくとも一方に、前記ドレン通路の設置箇所を含む所定の横方向範囲に位置させて、横方向一方に向かって下方に傾斜する斜面が形成されていることを特徴とする請求項１記載の空気浄化装置。
【請求項３】
前記スペーサ部の下側の内壁面に、前記斜面の形成範囲の横方向他方の端部近傍に位置させて、上方に起立する突起が形成されていることを特徴とする請求項２記載の空気浄化装置。
【発明の詳細な説明】
【技術分野】
【０００１】
本発明は、室内空気を空気浄化フィルタを用いて浄化する空気浄化装置に関する。
【背景技術】
【０００２】
従来、この種の空気浄化装置として、外装ケース内に、外装ケースの起立板部に開設した吸込み口に対向する端壁部と、端壁部と吸込み口との間の空間を囲う周壁部とを有する吸気ケースを設けて、吸気ケースの周壁部内に空気浄化フィルタを装着すると共に、吸込み口に対向する吸気ケースの端壁部の吸込み口とは反対側の面に、ファンを収納したファンケーシングを、該ファンケーシングの送気口が外装ケースの天板部に開設した吹出し口に臨むように取付け、吸気ケースの端壁部に、ファンケーシングに臨む吸気口を形成して、ファンの作動により空気が空気浄化フィルタと吸気口とファンケーシングと送気口とを介して吹出し口に送風されるようにしたものは知られている。
【０００３】
このような空気浄化装置では、吹き出し口から異物がファンケーシング内に落下することがある。そこで、吸気ケースの端壁部に、ファンケーシング内の下部に臨む異物取出し口を開設し、該取出し口を常時は蓋部材で覆い、ファンケーシング内に異物が落下したとき、空気浄化フィルタを吸気ケースから取り外し、蓋部材を開いて、ファンケーシング内の異物を異物取出し口から取出すことができるようにしたものも従来知られている（例えば、特許文献１参照）。
【０００４】
ところで、空気浄化装置の外装ケースの天板上に置いたコップが倒れる等して、吹き出し口からファンケーシング内に水が浸入することもある。この場合、上記従来例によれば、異物取出し口からファンケーシング内の水を吸気ケース内に排出できるが、そのためには、空気浄化フィルタを取り外して蓋部材を開かなければならず、手間がかかると共に、蓋部材を開くまでに、吸気ケースの端壁部に対するファンケーシングの接合部から水が外装ケース内に漏れ出て、外装ケース内の電装品に水が付着する可能性がある。更に、蓋部材を開いたときに、ファンケーシング内の水が吸気ケースから吸込み口を介して外装ケース外に溢れ出て、床を濡らし、後始末が面倒になることもある。
【特許文献１】特開２００１−１６２１２４号公報（段落００２１，００２２、図２，図４）
【発明の開示】
【発明が解決しようとする課題】
【０００５】
本発明は、以上の点に鑑み、ファンケーシング内に水が侵入した場合、そのまま放置してもファンケーシング内から速やかに水を排出できるようにし、上記の不具合を解消し得るようにした空気浄化装置を提供することをその課題としている。
【課題を解決するための手段】
【０００６】
上記課題を解決するために、本発明は、外装ケース内に、外装ケースの起立板部に開設した吸込み口に対向する端壁部と、端壁部と吸込み口との間の空間を囲う周壁部とを有する吸気ケースを設けて、吸気ケースの周壁部内に空気浄化フィルタを装着すると共に、吸込み口に対向する吸気ケースの端壁部の吸込み口とは反対側の面に、ファンを収納したファンケーシングを、ファンケーシングの送気口が外装ケースの天板部に開設した吹出し口に臨むように取付け、吸気ケースの端壁部に、ファンケーシングに臨む吸気口を形成して、ファンの作動により空気が空気浄化フィルタと吸気口とファンケーシングと送気口とを介して吹出し口に送風されるようにした空気浄化装置において、吸気ケースの端壁部に、ファンケーシング内の最下部に連通し、ファンケーシング内の水を吸気ケース内に排出するドレン通路が設けられていることを特徴とする。
【０００７】
本発明によれば、ファンケーシング内に侵入した水はドレン通路を介して速やかに吸気ケース内に排出され、吸気ケースの端壁部に対するファンケーシングの接合部から水が外装ケース内に漏れ出ることを可及的に防止できる。また、吸気ケース内に排出された水は、吸気ケースに装着されている空気浄化フィルタに吸水される。そのため、外装ケース外に水が溢れ出て、床を濡らすといった不具合は生じない。
【０００８】
尚、ファンケーシング内に多量の水が浸入した場合、ドレン通路を介して吸気ケース内に排出される水を空気浄化フィルタで吸水し切れなくなり、外装ケースに対する吸気ケースの接合部から外装ケース内に水が漏れ出る可能性がある。
【０００９】
ここで、吸気ケースの周壁部は、一般的に、空気浄化フィルタの挿入深さを規制する段部と、段部と外装ケースの吸込み口との間に位置するフィルタ装着部と、段部と吸気ケースの端壁部との間に位置するスペーサ部とを有する形状に形成される。そして、スペーサ部の下側の内壁面とフィルタ装着部の下側の内壁面との少なくとも一方に、前記ドレン通路の設置箇所を含む所定の横方向範囲に位置させて、横方向一方に向かって下方に傾斜する斜面を形成しておけば、ドレン通路を介して排出された水のうち空気浄化フィルタで吸水しきれない水は斜面に沿って横方向一方に流れるようになる。そのため、外装ケースに対する吸気ケースの接合部から外装ケース内に水が漏れ出ることがあっても、この漏水箇所は外装ケースの横方向一方に偏倚した箇所になる。従って、吸気ケースよりも下方に配置され、外装ケースに対する吸気ケースの接合部からの漏水で水がかかる可能性のある外装ケース内の電装品を横方向他方に配置しておくことにより、電装品に水がかかることを防止できる。
【００１０】
更に、スペーサ部の下側の内壁面に、前記斜面の形成範囲の横方向他方の端部近傍に位置させて、上方に起立する突起を形成しておけば、ドレン通路から流れ出た水が斜面に入らずに横方向他方に流れることを突起により阻止でき、外装ケースの横方向他方（電装品の配置側）において外装ケースに対する吸気ケースの接合部から外装ケース内に水が漏れ出ることを一層効果的に防止できる。
【発明を実施するための最良の形態】
【００１１】
以下、ファンヒータに付設される空気浄化装置に本発明を適用した実施形態について説明する。図１乃至図３を参照して、１はファンヒータの外装ケースを示しており、外装ケース１内を仕切り板１１により上下に仕切り、仕切り板１１の下に暖房装置２を配置し、仕切り板１１の上に空気浄化装置３を配置している。また、外装ケース１の天板部１２の前側の部分には、各種操作ボタン４ａを有する操作パネル４が配置され、外装ケース１内の仕切り板１１の上の部分の横方向一側部（図２の右側部）に、これら操作ボタン４ａからの信号を入力するコントロールユニット５を配置して、コントロールユニット５により暖房装置２と空気浄化装置３とを制御するようにしている。
【００１２】
暖房装置２は、下部の送風ファン２１と、その上方に位置する、バーナ２２を内蔵する燃焼筐２３と、燃焼筐２３の配置部を上方から前方に亘って囲う囲い板２４とを備える。そして、囲い板２４によって燃焼筐２３の周囲の通風路２５を画成し、送風ファン２１の作動により外装ケース１の後板部１３の下部に開設した暖房用の吸込み口２６から通風路２５に空気を吸込み、燃焼筐２３からの燃焼排ガスと空気とを混合して、外装ケース１の前板部１４の下部に開設した暖房用の吹出し口２７から温風として吹出すようにしている。また、仕切り板１１の下の横方向一側部（図２で右側部）に、バーナ２２へのガス供給を制御する電磁弁やイグナイタといった暖房装置用電装品２８を配置している。
【００１３】
空気浄化装置３は、ＨＥＰＡ等の機械式フィルタ、プレフィルタ、脱臭フィルタ等から成る空気浄化フィルタ３１と、空気浄化フィルタ３１を装着する吸気ケース３２とを備えている。吸気ケース３２は、図５に明示するように、外装ケース１の起立板部たる後板部１３の上部に開設した空気浄化用の吸込み口３３に対向する端壁部３２１と、この端壁部３２１と吸込み口３３との間の空間を囲う周壁部３２２とを有しており、周壁部３２２の開口端において後板部１３の吸込み口３３の周辺部分の内面にねじ止めされる。空気浄化フィルタ３１は、吸込み口３３を通して周壁部３２２内に抜差し自在に装着され、後板部１３の外面に着脱自在に取付けられるフィルタカバー３１１により後方から押さえられるようになっている。尚、周壁部３２２は、空気浄化フィルタ３１の挿入深さを規制する段部３２３と、段部３２３と吸込み口３３との間に位置するフィルタ装着部３２４と、段部３２３と端壁部３２１との間に位置するスペーサ部３２５とを有する形状に形成されている。そして、空気浄化フィルタ３１がその前面を段部３２３に押し付けた状態でフィルタ装着部３２４に装着され、空気浄化フィルタ３１と端壁部３２１との間に空隙が確保されるようにしている。また、フィルタカバー３１１には、網製の一次フィルタ３１２が取付けられている。
【００１４】
吸気ケース３２の端壁部３２１の吸込み口３３とは反対側の面、即ち、前面には、シロッコ型のファン３４を収納したファンケーシング３５がねじ止めされている。端壁部３２１には、ファンケーシング３５に臨む吸気口３５１が形成され、また、ファンケーシング３５に上向きに開口する送気口３５２を形成し、送気口３２５を外装ケース１の天板部１２の後側の部分に開設した空気浄化用の吹出し口３６に臨ませている。かくして、ファン３４を作動させると、空気が空気浄化フィルタ３１を介して吸込み口３３から吸い込まれ、吸気口３５１とファンケーシング３５と送気口３５２とを介して吹出し口３６に送風される。
【００１５】
ここで、吹出し口３６には、異物の落下を防止するため格子３６ａが組み込まれているが、ヘアピン等の小さく細い異物は格子３６ａを潜り抜けてファンケーシング３５内に落下する可能性がある。そこで、吸気ケース３２の端壁部３２１に、図４及び図５に明示する如く、ファンケーシング３５内の下部に臨む異物取出し口３２６を開設し、吹出し口３６からファンケーシング３５内に落下した異物を異物取出し口３２６から取り出せるようにしている。また、端壁部３２１には、異物取出し口３２６を覆う蓋部材３２７がねじ止めされており、吸気口３５１からファンケーシング３５内に吸い込まれた空気が異物取出し口３２６から吸気ケース３２に吹出して再び吸気口３５１に吸い込まれるショートサーキットが防止されるようにしている。
【００１６】
尚、吸気ケース３２の端壁部３２１の後面には、異物取出し口３２６の開設箇所の周辺を上方及び左右両側方から囲うリブ状の囲い壁３２６ａが突設されている。そして、蓋部材３２７は、囲い壁３２６ａに着座する外周シール部３２７ａと、囲い壁３２６ａ内に入り込んで異物取出し口３２６の周辺部分に着座する内周シール部３２７ｂと、異物取出し口３２６に挿入される中央の挿入部３２７ｃとを有する段付き形状に形成されている。
【００１７】
ところで、外装ケース１の天板部１２上に置いたコップが倒れる等して、吹出し口３６からファンケーシング３５内に水が侵入する可能性もある。そこで、本実施形態では、外装ケース１の端壁部３２１の構成要素となる蓋部材３２７の下部に、異物取出し口３２６の下縁及びその周辺部から浮く凹部３２７ｄを形成し、この凹部３２７ｄにより、ファンケーシング３５内の最下部に連通し、ファンケーシング３５内の水を吸気ケース３２内に排出するドレン通路３２８を形成している。尚、蓋部材３２７の外周シール部３２７ａの下縁は吸気ケース３２の周壁部３２２の上記スペーサ部３２５の下側の内壁面にほぼ接しているが、暖房用電装品２８の配置側とは反対方向である横方向一方（図４の右方）で外周シール部３２７ａの下縁は若干上方にオフセットしており、このオフセット部３２７ｅにより形成されるスペーサ部３２５の内壁面との間の隙間を介してドレン通路３２８が吸気ケース３２内に連通されるようにしている。これにより、一種の迷路状のドレン通路３２８が形成され、空気のショートサーキットが可及的に防止される。
【００１８】
また、スペーサ部３２５の下側の内壁面の段部３２３寄りの部分には、ドレン通路３２８の設置箇所を含む所定の横方向範囲、例えば、蓋部材３２７の横幅に合致する横方向範囲に位置させて、暖房用電装品２８の配置側とは反対方向である横方向一方（図４の右方）に向けて下方に傾斜する斜面３２５ａが形成されている。スペーサ部３２５の下側の内壁面には、更に、斜面３２５ａの形成範囲の横方向他方の端部近傍に位置させて上方に起立するリブ状の突起３２５ｂが形成されている。また、吸気ケース３２の周壁部３２２のフィルタ装着部３２４の下側の内壁面にも、上記斜面３２５ａの形成範囲を起点として、暖房用電装品２８の配置側とは反対方向である横方向一方（図４の右方）に向けて下方に傾斜する斜面３２４ａが形成され、更に、この斜面３２４ａの終点部に窪み３２４ｂが形成されている。
【００１９】
ファンケーシング３５に水が侵入すると、そのまま放置しておいても、ファンケーシング３５内の水はドレン通路３２８を介して速やかに吸気ケース３２内に排出される。そのため、ファンケーシング３５内に水が滞留して、吸気ケース３２の端壁部３２１に対するファンケーシング３５の接合部から水が外装ケース１内に漏れ出ることを防止できる。また、吸気ケース３２内に排出された水は、その周壁部３２２の段部３２３に押接される空気浄化フィルタ３１により吸水される。そのため、外装ケース１外に水が溢れ出て、床を濡らすといった不具合は生じない。
【００２０】
但し、ファンケーシング３５内に多量の水が浸入した場合は、ドレン通路３２８を介して吸気ケース３２内に排出される水を空気浄化フィルタ３１で吸水し切れなくなり、外装ケース１の後板部１３に対する吸気ケース３２の接合部から外装ケース１内に水が漏れ出る可能性がある。そして、暖房用電装品２８の配置側で水が漏れ出ると、水が後板部１３と仕切り板１１との間の隙間から落下して、暖房用電装品２８に水がかかる虞がある。
【００２１】
ここで、本実施形態では、蓋部材３２７の外周シール部３２７ａの下縁に暖房用電装品２８の配置側とは反対側に位置させて形成したオフセット部３２７ｅによりドレン通路３２８の吸気ケース３２に対する連通部が構成されるため、暖房用電装品２８の配置側から離れた箇所でドレン通路３２８からの水が吸気ケース３２内に排出され、暖房用電装品２８の配置側に水が流れにくくなる。更に、ドレン通路３２８から排出された水はスペーサ部３２５の斜面３２５ａに沿って暖房用電装品２８の配置側と反対方向に流れ、空気浄化フィルタ３１で吸水し切れない水は斜面３２５ａの横方向一方の端部において段部３２３からフィルタ装着部３２４に垂れ落ち、フィルタ装着部３２４の斜面３２４ａに沿って更に暖房用電装品２８の配置側と反対方向に流れ、斜面３２４ａの終点部の窪み３２４ｂから後板部１３との間の隙間を介して外装ケース１内に落下する。また、蓋部材３２７の暖房用電装品２８の配置側の部分からドレン通路３２８内の水が吸気ケース３２内に漏れ出ても、突起３２５ｂにより暖房用電装品２８の配置側に水が流れることが防止され、水はスペーサ部３２５の斜面３２５ａに沿って暖房用電装品２８の配置側と反対方向に流れる。従って、暖房用電装品２８の配置側で後板部１３と仕切り板１１との間の隙間から水が外装ケース１内に落下することを確実に防止でき、暖房用電装品２８に水がかかることはない。
【００２２】
尚、上記実施形態では、吸気ケース３２の端壁部３２１に取付ける異物取出し口３２６用の蓋部材３２７を利用して、端壁部３２１にドレン通路３２８を設けたが、異物取出し口３２１を形成しない場合には、端壁部３２１に直接ドレン通路３２８を形成するようにしても良い。また、上記実施形態では、ファンヒータに付設される空気浄化装置３に本発明を適用しているが、ファンヒータ等に付設しない独立した空気浄化装置にも同様に本発明を適用できる。
【図面の簡単な説明】
【００２３】
【図１】本発明の実施形態の空気浄化装置を具備するファンヒータの外観を示す斜視図。
【図２】図１のファンヒータの前板部を取り外した状態の正面図。
【図３】図２のＩＩＩ−ＩＩＩ線で切断したファンヒータの切断側面図。
【図４】実施形態の吸気ケースの要部の背面図。
【図５】図４のＶ−Ｖ線で切断した空気浄化装置の組立状態の切断側面図。
【符号の説明】
【００２４】
１…外装ケース、１２…天板部、１３…後板部（起立板部）、３…空気浄化装置、３１…空気浄化フィルタ、３２…吸気ケース、３２１…端壁部、３２２…周壁部、３２３…段部、３２４…フィルタ装着部、３２４ａ…斜面、３２５…スペーサ部、３２５ａ…斜面、３２５ｂ…突起、３２８…ドレン通路、３３…吸込み口、３４…ファン、３５…ファンケーシング、３５１…吸気口、３５２…送気口、３６…吹出し口。
【図１】
2006002950.tif 000003
【図２】
2006002950.tif 000004
【図３】
2006002950.tif 000005
【図４】
2006002950.tif 000006
【図５】
2006002950.tif 000007